(57)【特許請求の範囲】
【請求項１】
本体（１２）と、静電容量方式タッチスクリーンのためのパッド（１８、１１８、２１８）を含む取り外し可能なエンドピース（１４、１１４、２１４）とを備えた手動具（１０）であって、
前記取り外し可能なエンドピース（１４、１１４、２１４）は、バヨネット接続（２０）によって前記本体（１２）に組み付けられ、
前記パッド（１８、１１８、２１８）と前記本体（１２）の少なくとも一部とは互いに電気的に接触しており、
前記バヨネット接続（２０）による組み付けに先立って前記取り外し可能なエンドピース（１４、１１４、２１４）を前記本体（１２）に対して方位調整するための、前記本体（１２）に対する前記取り外し可能なエンドピース（１４、１１４、２１４）のための方位調整システム（２２）を備えた、
手動具（１０）。
【請求項２】
前記バヨネット接続（２０）による前記取り外し可能なエンドピース（１４、１１４、２１４）の前記本体（１２）への組み付けは、回転スナップフィット機構（３０）によって固定されている、請求項１に記載の手動具（１０）。
【請求項３】
前記パッド（１１８）は、コネクタ（１５０）を介して前記本体（１２）に電気的に接触している、請求項１又は２に記載の手動具（１０）。
【請求項４】
前記エンドピース（１４、１１４、２１４）は、ブッシング（１６、１１６、２１６）を含み、前記エンドピース（１４、１１４、２１４）は、前記ブッシング（１６、１１６、２１６）によって前記本体（１２）に組み付けられている、請求項１〜３のいずれか１項に記載の手動具（１０）。
【請求項５】
前記ブッシング（１６、１１６、２１６）は、導電性プラスチックでできている、請求項４に記載の手動具（１０）。
【請求項６】
前記取り外し可能なエンドピース（１４、１１４、２１４）と協働する、前記本体（１２）の少なくとも一部は、導電性プラスチックでできている、請求項１〜５のいずれか１項に記載の手動具（１０）。
【請求項７】
前記導電性プラスチックは、カーボンブラックが充填されたプラスチックである、請求項５又は６に記載の手動具（１０）。
【請求項８】
前記本体（１２）は、軸線方向（Ｘ）に延びており、かつ、前記取り外し可能なエンドピース（１４、１１４、２１４）が取り付けられる第一末端（１２ａ）を有する、請求項１〜７のいずれか１項に記載の手動具（１０）。
【請求項９】
前記本体（１２）は、前記第一末端（１２ａ）の反対側に第二末端（１２ｂ）を有し、前記第二末端（１２ｂ）は筆記端又はその等価物を有する、請求項８に記載の手動具（１０）。
【請求項１０】
請求項１〜９のいずれか１項に記載の手動具（１０）と、
前記手動具の前記取り外し可能なエンドピース（１４）の代わりに前記手動具（１０）の前記本体（１２）に取り付けられるように構成された、静電容量方式タッチスクリーンのための少なくとも１つの第二の取り外し可能なエンドピース（１１４、２１４）と、を備えた、
アセンブリ。
【発明の詳細な説明】
【技術分野】
【０００１】
本発明は、静電容量方式タッチスクリーンのためのエンドピースを含む手道具に関する。このような静電容量方式タッチスクリーンのためのエンドピースは、その静電容量方式タッチスクリーンの所定のポイントにおけるエンドピースの存在がそのタッチスクリーンによって検知されるように、静電容量方式タッチスクリーンに対し干渉／相互作用するのに適している。例えば、静電容量方式タッチスクリーンは、マルチメディアタブレット又は移動電話のスクリーンであってもよい。
【背景技術】
【０００２】
静電容量方式タッチスクリーンを使用するために、静電容量方式タッチスクリーン用スタイラスがしばしば必要である。
【発明の概要】
【発明が解決しようとする課題】
【０００３】
しかしながら、このようなスタイラスは、所定の静電容量方式タッチスクリーンのための単一のヘッドを有する特定の器具であり、高価である。
【課題を解決するための手段】
【０００４】
実施態様の一例は、本体と、静電容量方式タッチスクリーンのためのパッドを含む取り外し可能なエンドピースとを備えた手動具に関し、前記取り外し可能なエンドピース（又は第一の取り外し可能なエンドピース）はバヨネット接続によって前記本体に組み付けられ、前記パッドと前記本体の少なくとも一部とは互いに電気的に接触している。
【０００５】
本発明の意味するところにおいて、"本体"という用語は、広くエンドピースの部分を形成しない要素のすべてを指すものとして使用される。
【０００６】
前記本体は、前記手動具のグリップ部の全部又は一部を形成する。前記エンドピースは、前記エンドピースの使用のために、ユーザーが前記エンドピースを前記本体に取り付けて前記本体を操作して前記手動具を使用できるように構成されている。ユーザーは、前記バヨネット接続を用いて前記本体から前記エンドピースを取り外すこともできる。
【０００７】
バヨネット接続は、２つの部品の間で、一連の２つの運動がなされる、すなわち、第一の運動に続いて第二の運動がなされることによってその２つの部品を組み付けることができる接続である。第一の運動は、一方の部品の他方の部品に対する直線運動であり、第二の運動は、一方の部品の他方の部品に対する回転運動である。それらの部品を分離するために、逆の一連の運動がなされる。すなわち、最初に、一方の部品の他方の部品に対する回転運動がなされ、その後、一方の部品の他方の部品に対する直線運動がなされる。
【０００８】
"前記本体の少なくとも一部"という用語は、前記エンドピースを形成しない、手動具の如何なるエレメントにも適用されて使用される。例えば、そのエレメントは、グリップ部等の前記本体の外側の部品であってもよいし、前記本体の内側の部品であってもよい。
【０００９】
取り外し可能なエンドピース（以下では、より簡単に"エンドピース"ともいう）は、特別な労力を要することなく、ユーザーによって取り付けられ、かつ、取り外されるように構成されているエンドピースである。言い換えると、前記取り外し可能なエンドピースは、取り付け位置又は取り外し位置を取ることができる。もちろん、前記取り外し可能なエンドピースは、単一の部品を備えていてもよいし、組み付けられる複数の別個の部品を備えていてもよい。
【００１０】
前記パッドは、静電容量方式タッチスクリーンと相互作用するように構成されている終端であるともいえる。前記パッドは、（パッドを製造するための材料又はコーティングにより）電気伝導性を有する。パッドの形状、可撓性／剛性、及び材料は、パッドが静電容量方式タッチスクリーンと相互作用できる限り、すなわち、前記パッドと前記静電容量方式タッチスクリーンとの接触が前記静電容量方式タッチスクリーンによって検出できる限り、特に制限されない。
【００１１】
前記パッドと前記本体又は前記本体の一部との間の電気的な接触は、直接的であってもよいし、間接的であってもよい。このため、変形例において、前記パッドは、前記本体の一部と直接接触している。別の変形例において、前記パッドは、中間部品を介して前記本体又は前記本体の一部に電気的に接触している。前記エンドピースと前記本体との間に機械的な接触をもたらす前記バヨネット接続は、これらの間の十分な電気的接触をもたらすためにも役立つ。また、前記バヨネット接続により、第一の運動及び第二の運動の両方がひとたびなされれば、前記取り外し可能なエンドピースの組み付けが実現される。この運動は所定のストロークを有し、前記エンドピースが前記本体に組み付けられると、電気的接続の実現が確保されるとともに、少なくともこれらの２つの運動の中の一つのストロークの終りにはその電気的接続が確保される。
【００１２】
このような電気的な接触は、ユーザーが手で前記手動具を操って、前記パッドを前記静電容量方式タッチスクリーンに近づけるときに、前記静電容量方式タッチスクリーンが前記パッドの存在に反応することを確保できる。
【００１３】
前記バヨネット接続により、静電容量方式タッチスクリーンのための前記取り外し可能なエンドピースを取り外して、静電容量方式タッチスクリーンのための別のエンドピース又はさらにはある他の目的のためのエンドピースを取り付けることができる。
【００１４】
このため、この技術における既知の道具に比べて、前記手動具はより広い用途を有し、又は、前記手動具の用途が特定の用途に限られない。このような手動具の全体のコストは、２つの別個の従来の道具であって、それぞれ前記エンドピースと等価である道具を組み合わせたコストよりも低い。
【００１５】
特定の実施形態において、前記取り外し可能なエンドピースの、前記バヨネット接続による前記本体に対する組み付けは、回転スナップフィット機構によって固定されている。
【００１６】
スナップフィット機構は、係合及び弾性変形（典型的には、例えばストリップの局所的な変形、又は、組み付けに関与する部品の全体的な変形）によって２つの部品を組み付けることを伴う。２つの部品がスナップフィット位置で係合しているとき、その２つの部品は典型的には初期の形状に戻っており、もはや弾性変形していない（又は、その２つの部品の弾性変形の変形量が少なくなっている）。２つの部品がスナップフィット位置で互いに係合しているとき、２つの部品は、それらの部品において係合が解除される方向（係合方向と反対の方向）への相対的な運動を阻みあるいは妨げるように互いに協働する。スナップフィット位置において、２つの部品は、スナップフィット位置を超えて係合を続けるための方向への相対的な運動を阻みあるいは妨げるように協働することもできる。
【００１７】
スナップフィット係合による固定は、前記バヨネット接続による組み付け中の、本体部に対する前記取り外し可能なエンドピースの回転運動の期間に生じる。
【００１８】
このような固定は、前記エンドピースが組み付け位置に留まって前記エンドピースと前記本体とを備えたアセンブリが無傷のままであることを確保し、使用時にある程度の快適さをももたらす。
【００１９】
特定の実施形態において、前記バヨネット接続による組み付けに先立って前記取り外し可能なエンドピースを前記本体に対して方位調整するために、前記手動具は、前記本体に対する前記取り外し可能なエンドピースのための方位調整システムを含む。
【００２０】
方位調整システムは、前記バヨネット接続による組み付けのために直線的な前記第一の運動を行うことができるべく、前記バヨネット接続の個々のエレメントが一直線上にあるように、前記エンドピースを前記本体に対して向かせるための補助システムである。例えば、前記方位調整システムは、方位調整位置に向かって１以上のスタッドをガイドする螺旋状のスロープを有する。別の例では、前記方位調整システムは、半径方向に見たときに実質的にＶ形状である全体的な形状を形成するように反対側に傾斜した２つの螺旋状のスロープを有する。もちろん、これらの例は、例示に過ぎず非限定的なものである。
【００２１】
特定の実施形態において、前記パッドは、コネクタを介して前記本体と電気的に接触している。
【００２２】
前記コネクタは、前記パッドと前記本体との間に電気的な接触をもたらすのに専ら供される部品であってもよいし、又は、１以上の他の機能のために使用可能な部品であってもよい。なお、前記コネクタは前記パッドとは区別される部品である。例えば、前記コネクタは、前記エンドピースの中で前記パッドを組み付けるのに役出つ部品又は前記本体に前記エンドピースを固定するための部品であってもよい。
【００２３】
特定の実施形態において、前記エンドピースは、ブッシングを含み、前記エンドピースは、前記ブッシングによって前記本体に組み付けられている。
【００２４】
前記ブッシングは、前記エンドピースを前記本体に固定するための部品であると、理解できる。前記ブッシング及び前記パッドは単一の部品を形成してもよいし、それらは２つの別個の部品であってもよい。このようなブッシングは、前記エンドピースを前記本体に強固に組み付けることを可能にする。前記ブッシング及び前記パッドが２つの別個の部品である場合、前記ブッシングがパッドを保持するのにも役立てば十分であるが、このことは必須ではない。
【００２５】
特定の実施形態において、前記ブッシングは、導電性プラスチックでできている。
【００２６】
特定の実施形態において、前記取り外し可能なエンドピースと協働する、前記本体の少なくとも一部は、導電性プラスチックでできている。
【００２７】
以下において、特に反する記述がない限り、"伝導性"という用語は、"電気的な伝導性"を意味するものとして使用する。反対に、以下において、特に反する記述がない限り、"絶縁"という用語は、"電気的な絶縁"を意味するものとして使用している。
【００２８】
前記本体の一部又は全部は、導電性プラスチックでできていると、理解できる。また、前記エンドピースと協働する、前記本体の少なくとも一部、必ずしも必須ではないが、例えば、前記本体の部品を形成するバヨネット接続の部分は、導電性プラスチックでできていてもよい。変形例において、前記本体の前記グリップ部は導電性プラスチックでできている。別の変形例では、前記本体の内側部（すなわち、ユーザーによって手で直接的には保持されない部分）、例えば、内側ロッドは、導電性プラスチックでできている。さらに別の変形例では、前記本体は、双方とも導電性プラスチックでできている、内側部及びグリップ部を有する。
【００２９】
プラスチック(又はポリマー材料)は、部品の製造のために、典型的には加熱及び／又は加圧されて、成形又は成型が可能な基材（典型的にはポリマー）を含有している混合物である。例えば、前記プラスチックは、熱可塑性プラスチックである。例えば、前記プラスチックは、アクリロニトリルブタジエンスチレン（ABSという頭字語でも知られている）、アクリロニトリルメタクリル酸メチル（AMMAという頭字語でも知られている）、アクリロニトリルスチレンアクリル酸エステル（ASAという頭字語でも知られている）、酢酸セルロース（CAという頭字語でも知られている）、酢酸酪酸セルロース（CABという頭字語でも知られている）、酢酸プロピオン酸セルロース（CAPという頭字語でも知られている）、発泡スチロール（EPSという頭字語でも知られている）、エチレンテトラフルオロエチレン（ETFEという頭字語でも知られている）、エチレンビニルアルコール（EVAL又はEVOHという頭字語でも知られている）、ペルフルオロエチレンプロピレン（FEP又はPFEPという頭字語でも知られている）、メタクリル酸メチルブタジエンスチレン（MBSという頭字語でも知られている）、メチルセルロース（MCという頭字語でも知られている）、ポリアミド（PAという頭字語でも知られている）、カプロラクタム（PA6という頭字語でも知られている）、ポリアミドイミド（PAIという頭字語でも知られている）、ポリアクリロニトリル（PANという頭字語でも知られている）、ポリブテン−１（PB-1という頭字語でも知られている）、ポリブチレンテレフタレート又はポリ（ブチレンテレフタレート）（PBTという頭字語でも知られている）、ポリカーボネート（PCという頭字語でも知られている）、ポリクロロトリフルオロエチレン（PCTFEという頭字語でも知られている）、ポリエチレン（PEという頭字語でも知られている）、高密度ポリエチレン（PE-HDという頭字語でも知られている）、低密度ポリエチレン（PE-LDという頭字語でも知られている）、線状低密度ポリエチレン（PE-LLDという頭字語でも知られている）、超高分子量ポリエチレン（PE-UHMWという頭字語でも知られている）、ポリエーテルブロックアミド（PEBAという頭字語でも知られている）、ポリエステルカーボネート（PECという頭字語でも知られている）、ポリエーテルエーテルケトン（PEEKという頭字語でも知られている）、ポリエーテルイミド（PEIという頭字語でも知られている）、ポリエーテルケトン（PEKという頭字語でも知られている）、ポリ（エチレンナフタレート）（PENという頭字語でも知られている）、ポリエーテルスルホン（PESUという頭字語でも知られている）、ポリ（エチレンテレフタレート）（PETという頭字語でも知られている）、ポリフルオロアルコキシ（PFAという頭字語でも知られている）、ポリケトン（PKという頭字語でも知られている）、ポリメタクリル酸メチル（PMMAという頭字語でも知られている）、ポリメチルペンテン（PMPという頭字語でも知られている）、ポリオキシメチレン又はポリアセタール又はポリホルムアルデヒド（POMという頭字語でも知られている）、ポリプロピレン又はポリプロペン（PPという頭字語でも知られている）、ポリ（フェニレンエーテル）（PPEという頭字語でも知られている）、ポリ（フェニレンオキシド）（PPOという頭字語でも知られている）、ポリ（プロピレンオキシド）（PPOXという頭字語でも知られている）、ポリ（フェニレンスルフィド）（PPSという頭字語でも知られている）、ポリスチレン（PSという頭字語でも知られている）、ポリスルホン（PSUという頭字語でも知られている）、ポリテトラフルオロエチレン（PTFEという頭字語でも知られている）、ポリウレタン（PURという頭字語でも知られている）、ポリ酢酸ビニル（PVAcという頭字語でも知られている）、ポリビニルアルコール（PVALという頭字語でも知られている）、ポリ塩化ビニル（PVCという頭字語でも知られている）、ポリフッ化ビニリデン（PVDFという頭字語でも知られている）、ポリフッ化ビニル（PVFという頭字語でも知られている）、スチレンアクリロニトリル（SANという頭字語でも知られている）、シリコーン（SIという頭字語でも知られている）、スチレン無水マレイン酸（SSMA又はSMAnhという頭字語でも知られている）、ポリオレフィン、及びポリエステルから選ばれる１以上の化合物を含む。より典型的には、前記プラスチックは、例えば、合成有機ポリマー材料又は合成有機ポリマーである。
【００３０】
前記プラスチックに導電性を付与するために、前記材料は典型的にはフィラーを含む。フィラーは、部品を製造するとき、例えば、前記ブッシング及び／又は前記本体若しくは前記本体の一部を製造するときに、前記プラスチックに組み込まれる付加的な材料である。このため、少なくとも１つの導電性材料が充填されたプラスチックは、前記部品を製造する期間に、前記プラスチックの塊に組み込まれた少なくとも１つの導電性材料を有するプラスチックである。この導電性材料であるフィラーにより、前記プラスチックが導電特性を有する。例えば、前記プラスチックには少なくとも２重量％の導電性材料が充填されていてもよい。例えば、導電性材料であるフィラーは、カーボンブラック、カーボンナノチューブ、金属繊維、及び／又は金属粒子から選択される１以上の化合物を含む。
【００３１】
このような導電性プラスチックは、前記ブッシング及び前記本体又は前記本体の一部を、工業的な規模で、かつ、低コストで製造するのに特に良好に適している。
【００３２】
特定の実施形態において、前記導電性プラスチックは、カーボンブラックが充填された（又はカーボンブラックの粒子が充填された）プラスチックである。カーボンブラックは、かなり小さいサイズの粒を有し、低コストで製造しやすいという利点を有する導電性フィラーである。
【００３３】
特定の実施形態において、前記本体は、軸線方向に延びており、前記取り外し可能なエンドピースが取り付けられる第一末端を有する。
【００３４】
縦に延びている（すなわち、軸線方向に延びている）前記本体は、静電容量方式のタッチスクリーンのためのハンドピースを扱いやすくできるという人間工学的な使い勝手を有する。
【００３５】
特定の実施形態において、前記本体は、前記第一末端の反対側に第二末端を有し、前記第二末端は筆記端又はその等価物を有する。
【００３６】
例えば、筆記端又はその等価物は、ボールペン、フェルトペン、メカニカルペンシル、抵抗膜式タッチスクリーンのためのポインタ、パンチ、又は手動具のためのその他のエンドピースである。
【００３７】
実施形態の一例は、ここまで説明した実施態様のいずれかに係る手動具と、その手動具における前記取り外し可能なエンドピース（又は第一のエンドピース）の場所において、前記手動具の前記本体に取り付けられるように構成されている静電容量方式タッチスクリーンのための少なくとも１つの第二の取り外し可能なエンドピースとを備えたアセンブリに関する。
【００３８】
もちろん、前記第二のエンドピースは前記第一のエンドピースと同様であってもよいし、異なっていてもよい。このアセンブリは特に広い用途を有する。
【００３９】
本発明及びその利点は、非限定的な例として説明される本発明の様々な実施形態の以下の詳細な説明を読めば、より良く理解できる。この説明において添付の図面が参照される。
【図面の簡単な説明】
【００４０】
【図１Ａ】図１Ａは、取り付け位置にある、静電容量方式タッチスクリーンのための取り外し可能なエンドピースを備えた手動具を示す。
【図１Ｂ】図１Ｂは、エンドピースが取り外し位置にある同一の手動具を示す。
【図２Ａ】図２Ａは、図１Ａの手動具の一部の斜視図であり、エンドピースを分解組立図として示す。
【図２Ｂ】図２Ｂは、図１Ａの手動具の一部の斜視図であり、エンドピースを分解組立図として示す。
【図２Ｃ】図２Ｃは、取り付け位置で組み付けられたエンドピースの図２ＢのIIC平面における断面図である。
【図３】図３は、図２Ｂの矢印IIIに沿って本体を見た図である。
【図４】図４は、図２Ｂの矢印IVに沿って手動具を見た図である。
【図５Ａ】図５Ａは、第一変形例の取り外し可能なエンドピースを備えた手動具の一部の斜視図であり、エンドピースを分解組立図として示す。
【図５Ｂ】図５Ｂは、第一変形例の取り外し可能なエンドピースを備えた手動具の一部の斜視図であり、エンドピースを分解組立図として示す。
【図５Ｃ】図５Ｃは、取り付け位置で組み付けられたエンドピースの図５ＢのVC平面における断面図である。
【図６Ａ】図６Ａは、第二変形例の取り外し可能なエンドピースを備えた手動具の一部の斜視図であり、エンドピースを分解組立図として示す。
【図６Ｂ】図６Ｂは、第二変形例の取り外し可能なエンドピースを備えた手動具の一部の斜視図であり、エンドピースを分解組立図として示す。
【図６Ｃ】図６Ｃは、取り付け位置で組み付けられたエンドピースの図６ＢのVIC平面における断面図である。
【発明を実施するための形態】
【００４１】
図１Ａは、軸線方向Ｘに沿って縦に延びている本体１２を備えた手動具１０を示し、本体１２は、第一末端１２ａと、第一末端１２ａから軸線方向Ｘの反対側にある第二末端１２ｂとを有する。
【００４２】
第一末端１２ａには取り外し可能なエンドピース１４が設けられ、第二末端１２ｂには例えばボールペンである筆記端（図示省略）が設けられている。もちろん、変形例において、筆記端は、メカニカルペンシル、フェルトペン、又は等価物でありうる。
【００４３】
図１Ｂは、取り外し位置にある、取り外し可能なエンドピース１４を示し、図１Ａにおいて、取り付け位置にあるこのエンドピース１４が示されている。エンドピース１４を以下で説明するバヨネット接続を用いて取り付けるために、第一の運動、すなわち、矢印Ｔ１に沿った方向Ｘに沿う直線運動；それに続く第二の運動、すなわち、矢印Ｒ１に沿った方位方向Ｚに沿う回転運動からなる一連の運動がなされる。エンドピース１４を取り外すために、逆の順序でなされる反対方向の運動がなされる。すなわち、矢印Ｒ１と反対方向の矢印Ｒ２に沿った方位方向Ｚに沿う回転運動が最初になされ、続いて矢印Ｔ１と反対方向の矢印Ｔ２に沿った方向Ｘに沿う直線運動がなされる。直線運動及び回転運動であるこれらの運動は、バヨネット接続を用いて組み付けを行うのになされる必要がある典型的な運動である。
【００４４】
エンドピース１４及びバヨネット接続２０は、図２Ａ、図２Ｂ、及び図２Ｃを参照しつつ以下により詳細に説明される。
【００４５】
エンドピース１４は、ブッシング１６及びパッド１８を備えている。ブッシング１６は、実質的に円筒状の形状を有し、パッド１８は軸穴１６ａに係合している。非限定的な例において、穴１６ａは、以下で説明するバヨネット接続２０の雄部２０ｂを受け入れる実質的に円筒状の軸部１６ａａと、パッド１８を受け入れる実質的に円錐台状の軸部１６ａｂとを有する。ブッシング１６には、その内壁面に、より詳細には穴１６ａの実質的に円錐台状の軸部１６ａｂの壁面に、環状のとげ１６ｂが設けられている。このとげ１６ｂは穴１６ａの内部でパッド１８を保持する。もちろん、とげの形状は制限されない。ブッシングは、とげ１６ｂの保持方向と反対の軸線方向においてパッド１８に対して押しつけられることによって協働するように構成された軸線方向に延びる突出部１６ｐを有する。
【００４６】
パッド１８は、静電容量方式タッチスクリーンと協働するための末端１８ａを有し、この末端１８ａは例えば実質的に中実な半球状である。末端１８ａは、実質的に中実の円柱状の留め部１８ｂと同一直線上に並んでいる。この留め部１８ｂは、末端１８ａと基部１８ｃとの間で軸線方向に延びている。基部１８ｃは、留め部１８ｂから半径方向外側に突出している環状のカラーを形成している。留め部１８ｂと並んで形成されている、基部１８ｃのカラーの面は、ブッシング１６に設けられた突出部１６ｐと当接して協働する。このため、とげ１６ｂ及び突出部１６ｐにより、穴１６の内部、より詳細には穴１６の軸部１６ａｂの内部で方向Ｘに沿ってパッド１８が直線的に移動することが妨げられる。末端１８ａと反対側の近位端面１８ｅは円板状の支持面を形成している。
【００４７】
手動具１０は、エンドピース１４を本体１２に取り付けるためのバヨネット接続２０を有する。このバヨネット接続２０は、エンドピース１４に配置された雌部２０ａと、本体１２の末端１２ａから軸線方向に突出している雄部２０ｂとを備えている。
【００４８】
例えば、雌部２０ａは、ブッシング１６に形成されており、ブッシング１６の実質的に円筒状の軸線方向に延びている穴１６ａａを定めるスカート２０ａａと、スカート２０ａａの内壁面から半径方向に突出している２つのスタッド２０ａｂとを備えている。２つのスタッド２０ａｂは、直径方向の反対側に位置する方位スロープＲをそれぞれ有し、その方位スロープは、エンドピース１４と本体１２とが組み付けられている間にＲ１及びＲ２（図１Ｂ参照）の方向にエンドピース１４が本体１２に対して回転運動する期間に雄部２０ｂとの協働を容易にする２つの斜面を有する。
【００４９】
雄部２０ｂは、本体１２の末端１２ａから軸線方向に延びている円筒２０ｂａと、円筒２０ｂａの末端から半径方向に延びている２つのフィン２０ｂｂとを備えている。これら２つのフィン２０ｂｂは、直径方向の反対側に位置し、図２Ｂの矢印IVに沿って見たときに、それらの外側の輪郭Ｐは、部分的に螺旋の一部の形状で放射状に延びている（図４参照）。もちろん、方位に関する螺旋部の変化は単調であってもよいしそうでなくてもよい。この螺旋部の形状は、エンドピース１４と本体１２とが組み付けられている間にＲ１及びＲ２（図１Ｂ参照）の方向にエンドピース１４が本体１２に対して回転運動する期間に、フィン２０ｂｂと雌部２０ａとの間の協働を容易にする。
【００５０】
回転方向Ｒ１におけるフィン２０ｂｂの方位ストロークの端に、円筒２０ｂａは、雌部２０ａのスタッド２０ａｂと当接して協働する方位アバットメント２０ｂｃを有する。このため、２つのアバットメント２０ｂｃは、矢印Ｒ１（図１Ｂ参照）に沿った回転運動を制限し、これにより、バヨネット接続２０による組み付けを完了させることを確保できる。この非制限的な例において、方位アバットメント２０ｂｃは、円筒２０ｂａの軸線方向の長さの全体にわたって軸線方向に延びている。加えて、円筒２０ｂａの軸線方向の長さにわたって軸線方向に延びているこのようなアバットメント２０ｂｃは、円筒２０ｂａを強化するのに役立ち、これにより、特にエンドピース１４の取り付け／取り外しの間に受ける応力に対して強化される。
【００５１】
ブッシング１６は、フィン２０ｂｂがスタッド２０ａｂに実際に係合していることを確認できるようにしている窓１７を有する。これらの窓１７は、特にスタッド２０ａｂを形成するために、インジェクション成形による製造を容易にするのにも役立つ。
【００５２】
各フィン２０ｂｂは、スタッド２０ａｂと協働する突出部を形成する、本体１２に向いている軸方向の底面２０ｂｂ１と、反対側でエンドピース１４に向いている軸方向の頂面２０ｂｂ２とを有する。軸方向の頂面２０ｂｂ２は、軸線方向に対して傾斜しており、第一の螺旋状のスロープ（図３参照）を形成している。
【００５３】
同様に、各アバットメント２０ｂｃは、スタッド２０ａｂと当接して協働する突出部を形成している方位前面２０ｂｃ１と、反対側の方位後面２０ｂｃ２とを有する。方位後面２０ｂｃ２は、軸線方向に対して傾斜しており、第二の螺旋状のスロープ（図３参照）を形成している。
【００５４】
フィン２０ｂｂの面２０ｂｂ２の傾斜は、アバットメント２０ｂｃの面２０ｂｃ２の傾斜と反対方向を向いている。加えて、フィン２０ｂｂのそれぞれの面２０ｂｂ２は、方位方向において、アバットメント２０ｂｃの面２０ｂｃ２に向いている。このため、各対の面２０ｂｂ２及び２０ｂｃ２は、半径方向に沿って見たときに実質的にＶ形状を形成する。
【００５５】
面２０ｂｂ２及び面２０ｂｃ２は、組み付けに先立ってエンドピース１４及び本体１２を方位調整するように、本体１２に対してエンドピース１４を整列させるための方位調整システム２２を形成している。この調整システムは、直線運動Ｔ１（図１Ｂ参照）を可能にするように、エンドピース１４を本体１２に対して位置合わせさせることができる。この調整システムにより、エンドピース１４及び本体１２がこの運動Ｔ１を許容する位置になく、それらを組み立てるのに手間がかかり、運動Ｔ１を行うためにユーザーが激しく押すとスタッド及び／又はフィンが壊れる危険を冒す状態にあることに気付かずに、スタッド２０ａｂが軸方向の頂面２０ｂｂ２に対して無駄に押し付けられることを避けることができる。
【００５６】
円筒２０ｂａは面２０ｂｂ２及び面２０ｂｃ２に並んで形成されたカットアウトを有する。これらのカットアウトは、主にインジェクション成形をして雄部２０ｂを型から取り出して製造することを容易にする。
【００５７】
手動具１０は、本体の末端１２ａから軸線方向に突出し、直径に沿って反対側に位置している２つの軸方向の突起３０ａと、エンドピース１４の、より詳細にはブッシング１６の、本体１２の末端１２ａに向いている面１６ｃに形成された直径に沿って反対側にある２つのくぼみ（deux logements）３０ｂとを有する回転スナップフィット機構３０を備えている。各くぼみ３０ｂは、一つの軸方向の突起３０ａを受け入れる。なお、面１６ｃは、エンドピース１４を突起３０ａに対して擦りつけることなく回すことを可能にする方位後退部（des retraits azimutaux）３０ｃを有する。これらの後退部３０ｃは、それらの方位端に、突起３０ａをくぼみ３０ｂに導くために、突起３０ａの通過を容易にするためのスロープを有する。
【００５８】
例えば、本体１２及びブッシング１６は、導電性プラスチックでできている。特に、本体１２及びブッシング１６は、例えば、カーボンブラックが充填されたＡＢＳでできている。パッド１８は導電性材料でできており、例えばカーボンブラックが充填されたシリコーンでできている。
【００５９】
このため、パッド１８がブッシング１６に対して物理的に接触しているときに、パッド１８とブッシング１６との間で電気的な接触がなされる。さらに、バヨネット接続２０により、ブッシング１６が本体１２に物理的に接続されている。このため、ブッシング１６と本体１２との間で電気的な接触がなされる。これにより、パッド１８はブッシング１６を介して本体１２に対して電気的に接触し、ユーザーが手で手動具を操るときに手動具が静電容量方式のタッチスクリーンと相互作用することができる。
【００６０】
例えば、ブッシング１８の近位端面１８ｅは、パッド１８が本体１２と直接的に電気的接触をなすように、バヨネット接続２０の雄部２０ｂ（図３参照）の円筒２０ｂａの末端に対して押し付けられることによって協働する。このため、この特定の構成において、手動具１０の適正な操作を妨げることなく、ブッシング１６を製造するために非導電性材料を使用できる。
【００６１】
取り外し可能なエンドピース１４の第一変形例１１４が、図５Ａ、図５Ｂ、及び図５Ｃを参照しつつ以下に説明される。パッドと、パッドをブッシングに取り付けるための部分のみが、エンドピース１４と異なる。特に、バヨネット接続、方位調整システム、及び回転スナップフィット機構は同じままである。同じ部分の参照符号は変更されておらず、変更された部分には１００を加えた参照符号が付されている。
【００６２】
エンドピース１１４は、コネクタ１５０を介してブッシング１１６に取り付けられたパッド１１８を有する。より詳細に、パッド１１８は、静電容量方式タッチスクリーンと協働するための末端１１８ａを有し、この末端１１８ａは、例えば、実質的に中空な半球形状を有する。末端１１８ａは、実質的に中空な円筒形状である留め部１１８ｂと同一直線上に並んでおり、この留め部１１８ｂは、留め部１１８ｂの内部において、留め部１１８ｂの自由端の近傍に配置されたカラー（une collerette）１１８ｃを有する。このカラー１１８ｃは、スナップ止めによってコネクタ１５０の突出部１５０ａと協働する。
【００６３】
ブッシング１１６は、ブッシング１６と同様の、本体１２の末端１２ａと協働するための近位部を有する一方、ブッシング１１６の遠位部は異なっている。特に、ブッシング１１６は、ブッシング１６の軸部１６ａａと同様の、実質的に円筒状の軸部１１６ａａを有する軸方向の貫通穴１１６ａを有する一方、パッド１１８を受け入れる軸部１１６ａｂが異なっている。遠位の軸部１１６ａｂは、実質的に円筒状であり、パッド１１８の一部を受け入れる。穴１１６のこの部分１１６ａｂは、パッド１１８とコネクタ１５０との間のスナップ止めを固定するスカート１１６ｂによって定められている。環状壁１１６ｄが軸部１１６ａａと軸部１１６ａｂとを軸線方向に隔てている。
【００６４】
パッド１１８を保持するコネクタ１５０は、ブッシング１１６に、より詳細には環状壁１１６ｄに対してスナップ止めされている。コネクタ１５０は、円錐台状の接触プラグ１５０ｂを有し、このプラグ１５０ｂは、バヨネット接続２０の雄部２０ｂの円筒２０ｂａの末端と協働し、より詳細には円筒２０ｂａの末端の内側面と協働する。コネクタ１５０は、パッド１１８とコネクタ１５０との間に形成された空間の内部の圧力とその空間の外部の圧力との平衡を保つための通気孔を構成している、軸線方向１５０の貫通穴１５０ｃを有する。
【００６５】
コネクタ１５０は、導電性プラスチックでできている。例えば、コネクタはカーボンブラックが充填されたＡＢＳでできている。本体１２及びブッシング１１６も導電性プラスチックでできており、例えば、カーボンブラックが充填されたＡＢＳでできている。パッド１１８は導電性材料でできており、例えば、カーボンブラックが充填されたシリコーンでできている。
【００６６】
このため、上記の通り、パッド１１８はブッシング１１６を介して本体１２と電気的に接触している。例えば、パッド１１８は、コネクタ１５０を介して本体１２と電気的に接触している。このため、上記の通り、手動具の適切な操作を妨げることなく、ブッシング１１６を製造するために非導電性材料を使用できる。
【００６７】
取り外し可能なエンドピース１４の第二変形例２１４が、図６Ａ、図６Ｂ、及び図６を参照しつつ、以下に説明される。ブッシングと、ブッシングをパッドに取り付けるための部分のみが、エンドピース１４及びエンドピース１１４と異なる。特に、バヨネット接続、方位調整システム、及び回転スナップフィット機構は同じままである。エンドピース１４と比較して、同じ部分の参照符号は変更されておらず、変更された部分には２００を加えた参照符号が付されている。
【００６８】
パッド２１８は、ブッシング２１６に、より詳細にはブッシング２１６の支持部２１６ｅに取り付けられている。パッド２１８は、図５Ａ、図５Ｂ、及び図５Ｃのパッド１１８の構造と同様の構造を有し、寸法のみが異なる。
【００６９】
第二変形例において、カラー２１８ｃは、スナップ止めによって、支持部２１６ｅに形成された環状溝２１６ｅ１と協働する。リング２６０は、留め部２１８ｂ及び支持部２１６ｅの周囲で強制的に係合されており、支持部２１６ｅに嵌め込まれている（図６Ｃ参照）。このリング２６０は、パッド２１８の支持部２１６ｅに対するスナップ止めを固定し、かつ、環状溝２１６ｅ１にカラー２１８ｃを保持する。この支持部２１６ｅは、パッド２１８と支持部２１６ｅとの間に形成された空間の内部の圧力とその空間の外部の圧力との平衡を保つための通気孔を形成する、軸線方向Ｘに沿った貫通穴２１６ｅ２を有する。
【００７０】
本体１２及びブッシング２１６は、導電性プラスチックでできており、例えばカーボンブラックが充填されたＡＢＳでできている。パッド２１８は導電性材料でできており、例えばカーボンブラックが充填されたシリコーンでできている。リング２６０は、クロムメッキされた銅でできている。このため、パッド２１８は、ブッシング２１６を介して本体１２と電気的に接触している。リング２６０が金属製なので、このことが支持部２１６ｅとパッド２１８との間の電気的な接触の一助となるが、リング２６０の主な機能は支持部２１６ｅにおいてパッド２１８を物理的に保持することにある。
【００７１】
エンドピース１４、エンドピース１１４、及びエンドピース２１４の、バヨネット接続、方位調整システム、及び回転スナップフィット機構を構成している部分は同様に構成されており、本体１２に適合しているので、ユーザーは、これらのエンドピースのすべてを利用するために手動具の本体１２を１つのみを有していればよく、これにより用途の広い手動具が得られる。この例では、（例えば、第一のエンドピースを形成している）エンドピース１４の直径は、（例えば、第二のエンドピースを形成している）エンドピース１１４の直径よりも小さい。また、エンドピース１１４の直径は、（例えば、第三のエンドピースを形成している）エンドピース２１４の直径よりも小さい。このため、使用に望ましい静電容量方式のタッチスクリーンに最適なエンドピースを選択できる。
【００７２】
本発明は、特定の実施形態を参照して説明されているが、特許請求の範囲によって定義された発明の全般的な範囲を逸脱することなく、これらの実施形態に対して変更及び改変を加えてもよいことは明らかである。特に、図示又は言及されているいくつかの実施形態の個々の特徴は、追加の実施形態において組み合わされてもよい。結果的に、明細書及び図面は制限的なものというよりは例示的なものであるという意味合いで考慮されるべきである。
【図１Ａ】
0006453330.tif 000002
【図１Ｂ】
0006453330.tif 000003
【図２Ａ】
0006453330.tif 000004
【図２Ｂ】
0006453330.tif 000005
【図２Ｃ】
0006453330.tif 000006
【図３】
0006453330.tif 000007
【図４】
0006453330.tif 000008
【図５Ａ】
0006453330.tif 000009
【図５Ｂ】
0006453330.tif 000010
【図５Ｃ】
0006453330.tif 000011
【図６Ａ】
0006453330.tif 000012
【図６Ｂ】
0006453330.tif 000013
【図６Ｃ】
0006453330.tif 000014